【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
記録形態の属性を指定するコマンドを含む第１のコマンド体系と、前記第１のコマンド体系では定義されていない属性を指定するコマンドを含む第２のコマンド体系と、のコマンドを識別する処理手段を備え、
前記処理手段は、前記第１のコマンド体系のコマンドにより記録形態を定める命令と、当該第１のコマンド体系のコマンドにより定められた記録形態に従って配置されるデータと、を含む記録命令が入力された場合に、前記第２のコマンド体系のコマンドにより定められた記録形態に従って前記記録命令に含まれるデータを配置することにより、記録データを生成する記録データ生成処理を実行すること、
を特徴とするデータ処理装置。
【請求項２】
前記第１のコマンド体系のコマンドにより記録形態を定める１または複数の第１のテンプレートと、前記第２のコマンド体系のコマンドにより記録形態を定める１または複数の第２のテンプレートと、を記憶した記憶手段を備え、
前記処理手段は、前記第１のテンプレートを指定する命令と、当該第１のテンプレートに従って配置されるデータと、を含む記録命令が入力された場合に、前記第２のテンプレートに従って前記記録命令に含まれるデータを配置することにより、前記記録データ生成処理を実行し、
前記記録データ生成処理では、前記第２のコマンド体系に含まれるコマンドのうち、前記第１のコマンド体系で定義されていない属性を指定するコマンドを含む前記第２のテンプレートを前記記憶手段から取得し、取得した前記第２のテンプレートに従って前記記録データを生成すること、
を特徴とする請求項１に記載のデータ処理装置。
【請求項３】
前記処理手段は、前記第１のテンプレートを指定する命令と、当該第１のテンプレートに従って配置されるデータと、を含む記録命令が入力された場合に、指定された前記第１のテンプレートを前記記憶手段から取得して前記データを配置することにより記録データを生成する処理と、前記記録データ生成処理とを選択的に実行することを特徴とする請求項２に記載のデータ処理装置。
【請求項４】
前記処理手段は、前記記録データ生成処理において、入力された前記記録命令により指定された前記第１のテンプレートの記録形態をエミュレートする前記第２のテンプレートを、前記記憶手段から取得することを特徴とする請求項２または３に記載のデータ処理装置。
【請求項５】
前記記憶手段は、各々の前記第１のテンプレートに、前記第２のテンプレートを対応づけて記憶しており、
前記処理手段は、前記第１のテンプレートを指定する命令と、当該第１のテンプレートに従って配置されるデータと、を含む記録命令が入力された場合に、当該第１のテンプレートに対応づけて記憶された前記第２のテンプレートに従って前記記録命令に含まれるデータを配置することを特徴とする請求項２から４のいずれかに記載のデータ処理装置。
【請求項６】
前記第１のコマンド体系は記録色を定義するコマンドが１以下のコマンド体系であり、前記第２のコマンド体系は記録色を定義する２以上のコマンドを含むカラー印刷用のコマンド体系であり、
前記処理手段は、前記記録データ生成処理において、前記第２のコマンド体系の記録色を指定するコマンドを含む前記第２のテンプレートを前記記憶手段から取得することを特徴とする請求項２から５のいずれかに記載のデータ処理装置。
【請求項７】
ホストコンピューターおよび記録装置に接続され、前記ホストコンピューターから、前記第１のテンプレートを指定する命令と、当該第１のテンプレートに従って配置されるデータと、を含む記録命令が入力された場合に、前記記録データ生成処理を実行し、前記記録データを前記記録装置に出力することを特徴とする請求項２から６のいずれかに記載のデータ処理装置。
【請求項８】
ホストコンピューターから入力されるコマンドに従って記録動作を実行する記録装置であって、
記録形態の属性を指定するコマンドを含む第１のコマンド体系と、前記第１のコマンド体系では定義されていない属性を指定するコマンドを含む第２のコマンド体系と、のコマンドを識別する処理手段と、
前記第２のコマンド体系のコマンドに従って記録動作を実行する記録手段と、を備え、
前記処理手段は、前記第１のコマンド体系のコマンドにより記録形態を定める命令と、当該第１のコマンド体系のコマンドにより定められた記録形態に従って配置されるデータと、を含む記録命令が入力された場合に、前記第２のコマンド体系のコマンドにより定められた記録形態に従って前記記録命令に含まれるデータを配置することにより、記録データを生成して前記記録手段に出力する記録データ生成処理を実行すること、
を特徴とする記録装置。
【請求項９】
記録形態の属性を指定するコマンドを含む第１のコマンド体系と、前記第１のコマンド体系では定義されていない属性を指定するコマンドを含む第２のコマンド体系と、のコマンドを識別する処理手段を備えたデータ処理装置の制御方法であって、
前記処理手段は、前記第１のコマンド体系のコマンドにより記録形態を定める命令と、当該第１のコマンド体系のコマンドにより定められた記録形態に従って配置されるデータと、を含む記録命令が入力された場合に、前記第２のコマンド体系のコマンドにより定められた記録形態に従って前記記録命令に含まれるデータを配置することにより、記録データを生成する記録データ生成処理を実行すること、
を特徴とするデータ処理装置の制御方法。
【手続補正２】
【補正対象書類名】明細書
【補正対象項目名】０００６
【補正方法】変更
【補正の内容】
【０００６】
上記目的を達成するため、本発明のデータ処理装置は、記録形態の属性を指定するコマンドを含む第１のコマンド体系と、前記第１のコマンド体系では定義されていない属性を指定するコマンドを含む第２のコマンド体系と、のコマンドを識別する処理手段を備え、
前記処理手段は、前記第１のコマンド体系のコマンドにより記録形態を定める命令と、当該第１のコマンド体系のコマンドにより定められた記録形態に従って配置されるデータと、を含む記録命令が入力された場合に、前記第２のコマンド体系のコマンドにより定められた記録形態に従って前記記録命令に含まれるデータを配置することにより、記録データを生成する記録データ生成処理を実行すること、を特徴とする。
また、本発明は、上記データ処理装置において、前記第１のコマンド体系のコマンドにより記録形態を定める１または複数の第１のテンプレートと、前記第２のコマンド体系のコマンドにより記録形態を定める１または複数の第２のテンプレートと、を記憶した記憶手段を備え、前記処理手段は、前記第１のテンプレートを指定する命令と、当該第１のテンプレートに従って配置されるデータと、を含む記録命令が入力された場合に、前記第２のテンプレートに従って前記記録命令に含まれるデータを配置することにより、前記記録データ生成処理を実行し、前記記録データ生成処理では、前記第２のコマンド体系に含まれるコマンドのうち、前記第１のコマンド体系で定義されていない属性を指定するコマンドを含む前記第２のテンプレートを前記記憶手段から取得し、取得した前記第２のテンプレートに従って前記記録データを生成すること、を特徴とする。
本発明によれば、第１のコマンド体系の命令およびデータが入力された場合に、第１のコマンド体系では定義されていない属性を指定するコマンドを有する第２のコマンド体系を利用した記録データを生成できる。例えば、記録色を指定するコマンドを持たないモノクロ印刷用のコマンド体系の命令およびデータが入力された場合に、カラー印刷に対応したコマンド体系を利用して、カラー印刷用の記録データを生成できる。これにより、記録の命令およびデータを出力する装置の構成を変更することなく、旧来の装置では不可能であった形態の記録が可能な、旧来の装置とは別のコマンド体系に対応した記録装置を導入できる。さらに、第２のコマンド体系のコマンドにより記録形態を定めるテンプレートを記憶しており、このテンプレートを利用して第２のコマンド体系に対応した記録データを生成する。このため、第１のコマンド体系の命令およびデータに基づいて、適切な記録形態の記録データを生成できる。
【手続補正３】
【補正対象書類名】明細書
【補正対象項目名】０００７
【補正方法】変更
【補正の内容】
【０００７】
また、本発明は、上記データ処理装置において、前記処理手段は、前記第１のテンプレートを指定する命令と、当該第１のテンプレートに従って配置されるデータと、を含む記録命令が入力された場合に、指定された前記第１のテンプレートを前記記憶手段から取得して前記データを配置することにより記録データを生成する処理と、前記記録データ生成処理とを選択的に実行することを特徴とする。
本発明によれば、第１のコマンド体系から第２のコマンド体系への変換を行って、第２のコマンド体系に対応した記録データを生成する処理と、第１のコマンド体系に対応した記録データを生成する処理とを実行できるので、記録装置を更新する場合に、旧来の装置が実行可能な記録データと、旧来の装置とは別のコマンド体系に対応した新しい記録装置が実行可能な記録データとのいずれも生成できる。従って、記録装置の構成の自由度を高めることができる。
【手続補正４】
【補正対象書類名】明細書
【補正対象項目名】０００９
【補正方法】変更
【補正の内容】
【０００９】
また、本発明は、上記データ処理装置において、前記記憶手段は、各々の前記第１のテンプレートに、前記第２のテンプレートを対応づけて記憶しており、前記処理手段は、前記第１のテンプレートを指定する命令と、当該第１のテンプレートに従って配置されるデータと、を含む記録命令が入力された場合に、当該第１のテンプレートに対応づけて記憶された前記第２のテンプレートに従って前記記録命令に含まれるデータを配置することを特徴とする。
本発明によれば、第１のテンプレートが指定された場合に、適切な第２のテンプレートを選択できる。例えば、指定された第１のテンプレートを用いた場合に近い記録形態を実現する第２のテンプレートを使用することにより、記録形態を変化させることなく、第１のコマンド体系から第２のコマンド体系への変換を行える。これにより、記録の命令およびデータを出力する装置の構成を変更することなく、第１のコマンド体系に対応した記録装置を、別のコマンド体系に対応した記録装置に置き換えることができる。さらに、記録形態の属性のうち、一部の属性を保持したまま、他の属性を変化させることも可能であり、記録形態を任意に変更できる。
【手続補正５】
【補正対象書類名】明細書
【補正対象項目名】００１１
【補正方法】変更
【補正の内容】
【００１１】
また、本発明は、上記データ処理装置において、ホストコンピューターおよび記録装置に接続され、前記ホストコンピューターから、前記第１のテンプレートを指定する命令と、当該第１のテンプレートに従って配置されるデータと、を含む記録命令が入力された場合に、前記記録データ生成処理を実行し、前記記録データを前記記録装置に出力することを特徴とする。
本発明によれば、ホストコンピューターのソフトウェアおよびハードウェア構成を変更することなく、異なるコマンド体系に対応した記録装置への置き換えが可能になり、モノクロ印刷されていた印刷物のカラー化を実現できる。
【手続補正６】
【補正対象書類名】明細書
【補正対象項目名】００１２
【補正方法】変更
【補正の内容】
【００１２】
上記目的を達成するため、本発明の記録装置は、ホストコンピューターから入力されるコマンドに従って記録動作を実行する記録装置であって、記録形態の属性を指定するコマンドを含む第１のコマンド体系と、前記第１のコマンド体系では定義されていない属性を指定するコマンドを含む第２のコマンド体系と、のコマンドを識別する処理手段と、前記第２のコマンド体系のコマンドに従って記録動作を実行する記録手段と、を備え、前記処理手段は、前記第１のコマンド体系のコマンドにより記録形態を定める命令と、当該第１のコマンド体系のコマンドにより定められた記録形態に従って配置されるデータと、を含む記録命令が入力された場合に、前記第２のコマンド体系のコマンドにより定められた記録形態に従って前記記録命令に含まれるデータを配置することにより、記録データを生成して前記記録手段に出力する記録データ生成処理を実行すること、を特徴とする。
本発明によれば、ホストコンピューターが第１のコマンド体系の命令およびデータを出力された場合に、第１のコマンド体系では定義されていない属性を指定するコマンドを有する第２のコマンド体系を利用した記録データを生成できる。例えば、記録色を指定するコマンドを持たないモノクロ印刷用のコマンド体系の命令およびデータが入力された場合に、カラー印刷に対応したコマンド体系を利用して、カラー印刷用の記録データを生成できる。これにより、ホストコンピューターの構成を変更することなく、旧来の装置では不可能であった形態の記録が可能な、旧来の装置とは別のコマンド体系に対応した記録装置を導入できる。さらに、第２のコマンド体系のコマンドにより記録形態を定めるテンプレートを記憶しており、このテンプレートを利用して第２のコマンド体系に対応した記録データを生成する。このため、第１のコマンド体系の命令およびデータに基づいて、適切な記録形態の記録データを生成できる。
【手続補正７】
【補正対象書類名】明細書
【補正対象項目名】００１４
【補正方法】変更
【補正の内容】
【００１４】
また、上記目的を達成するため、本発明のデータ処理装置の制御方法は、記録形態の属性を指定するコマンドを含む第１のコマンド体系と、前記第１のコマンド体系では定義されていない属性を指定するコマンドを含む第２のコマンド体系と、のコマンドを識別する処理手段を備えたデータ処理装置の制御方法であって、前記処理手段は、前記第１のコマンド体系のコマンドにより記録形態を定める命令と、当該第１のコマンド体系のコマンドにより定められた記録形態に従って配置されるデータと、を含む記録命令が入力された場合に、前記第２のコマンド体系のコマンドにより定められた記録形態に従って前記記録命令に含まれるデータを配置することにより、記録データを生成する記録データ生成処理を実行すること、を特徴とする。
本発明によれば、第１のコマンド体系の命令およびデータが入力された場合に、第１のコマンド体系では定義されていない属性を指定するコマンドを有する第２のコマンド体系を利用した記録データを生成できる。例えば、記録色を指定するコマンドを持たないモノクロ印刷用のコマンド体系の命令およびデータが入力された場合に、カラー印刷に対応したコマンド体系を利用して、カラー印刷用の記録データを生成できる。これにより、記録の命令およびデータを出力する装置の構成を変更することなく、旧来の装置では不可能であった形態の記録が可能な、旧来の装置とは別のコマンド体系に対応した記録装置を導入できる。さらに、第２のコマンド体系のコマンドにより記録形態を定めるテンプレートを記憶しており、このテンプレートを利用して第２のコマンド体系に対応した記録データを生成する。このため、第１のコマンド体系の命令およびデータに基づいて、適切な記録形態の記録データを生成できる。